(57)【要約】【課題】所定位置で撮影された撮像データとともに、当該位置で集音された所望の特定音の音源方向の情報を提供するモニタリング装置を提供する。【解決手段】モニタリング装置５Ａは、鳥鳴き声音検出部５０４と出現率算出部５０５と映像データ内位置判定部５０７と、表示範囲設定部５０３と、情報出力部５０８Ａとを有する。鳥鳴き声音検出部５０４は、所定位置で集音した音データから対象物の音を検出する。出現率算出部５０５は、対象物の出現率を算出する。映像データ内位置判定部５０７は、出現率に基づき、複数の対象物のうち特定の対象物を選択し、選択された特定の対象物の位置を判別する。表示範囲設定部５０３は、所定位置で撮影した映像データのうち表示する範囲を設定する。情報出力部５０８Ａは、特定の対象物の位置が表示する範囲に含まれない場合には、映像データ内に、当該対象物の位置を示す所定の指示画像データを出力する。【選択図】図１
2019161353.tif 000002
【特許請求の範囲】
【請求項１】
所定位置で撮像した撮像データを取得する撮像データ取得部と、
前記位置で集音した音データを取得する音データ取得部と、
前記音データの中から、対象物の音を検出する音検出部と、
前記対象物の音が検出された頻度を表す出現率を算出する出現率算出部と、
前記出現率に基づき、複数の対象物のうち特定の対象物を選択し、選択された特定の対象物の位置を判別する位置判別部と、
前記撮像データのうち表示する範囲を設定する表示範囲設定部と、
前記設定された表示する範囲に基づき生成された画像データを出力する情報出力部と、
を備え、
前記情報出力部は、前記特定の対象物の位置が前記表示する範囲に含まれない場合には、前記画像データ内に、前記対象物の位置を示す所定の指示画像データを出力する
ことを特徴とするモニタリング装置。
【請求項２】
前記情報出力部は、前記表示する範囲が、前記特定の対象物の位置に近づくにつれて、対象物の位置を示す指示画像データを変化させる、
ことを特徴とする請求項１に記載のモニタリング装置。
【請求項３】
前記対象物の音である対象物音データを予めに記憶する記憶部を更に備え、
前記情報出力部は、前記特定の対象物の位置が前記表示する範囲に含まれる場合に、前記対象物音データを出力する
ことを特徴とする請求項１または請求項２に記載のモニタリング装置。
【請求項４】
前記記憶部は、前記対象物音データに関連づけて、前記対象物音データに対するユーザの評価を示す評価値を記憶し、
前記情報出力部は、前記特定の対象物の位置が前記表示する範囲に含まれる場合に、前記評価値が最も高い前記対象物音データを出力する
ことを特徴とする請求項３に記載のモニタリング装置。
【請求項５】
モニタリング装置が、
所定位置で撮像した撮像データを取得し、
前記位置で集音した音データを取得し、
前記音データの中から、対象物の音を検出し、
前記対象物の音が検出された頻度を表す出現率を算出し、
前記出現率に基づき、複数の対象物のうち特定の対象物を選択し、選択された特定の対象物の位置を判別し、
前記撮像データのうち表示する範囲を設定し、
前記設定された表示する範囲に基づき生成された画像データを出力し、
前記特定の対象物の位置が前記表示する範囲に含まれない場合には、前記画像データ内に、前記対象物の位置を示す所定の指示画像データを出力する
ことを特徴とするモニタリング方法。
【請求項６】
モニタリング装置に、
所定位置で撮像した撮像データを取得する機能と、
前記位置で集音した音データを取得する機能と、
前記音データの中から、対象物の音を検出する機能と、
前記対象物の音が検出された頻度を表す出現率を算出する機能と、
前記出現率に基づき、複数の対象物のうち特定の対象物を選択し、選択された特定の対象物の位置を判別する機能と、
前記撮像データのうち表示する範囲を設定する機能と、
前記設定された表示する範囲に基づき生成された画像データを出力する機能と、
前記特定の対象物の位置が前記表示する範囲に含まれない場合には、前記画像データ内に、前記対象物の位置を示す所定の指示画像データを出力する機能と
を実行させるモニタリング処理用プログラム。
【発明の詳細な説明】
【技術分野】
【０００１】
本発明は、撮像データ内における特定音の音源方向の情報を提供するモニタリング装置、モニタリング方法、およびモニタリング処理用プログラムに関する。
【背景技術】
【０００２】
従来、観測を希望する範囲を撮影可能な位置（モニタリング位置）から監視エリアをカメラ装置で撮影した映像データと、当該監視エリアの音をマイク装置で集音した音データとを取得し、取得した映像データと音データとをユーザ端末から出力させることで当該エリアのモニタリング情報をユーザに提供するモニタリングシステムがある。
【０００３】
ユーザは、このようなモニタリングシステムを利用することにより、例えば、森の中のモニタリング位置で撮影された映像を見ながら当該モニタリング位置で聞こえている鳥の鳴き声を聞くことができる。
【先行技術文献】
【特許文献】
【０００４】
【特許文献１】特開２０１７−２２６６４号公報
【発明の概要】
【発明が解決しようとする課題】
【０００５】
上述したようなモニタリングシステムにおいて、ユーザ端末から出力される音データは当該モニタリング位置の全方向から収音されたデータであるのに対し、出力される映像データは、当該モニタリング位置で撮影された全方向の映像データの中の一部範囲のデータである。そのため、ユーザが注目したい音源の方向が、現在出力されている映像データに含まれていない場合もある。
【０００６】
この場合、例えば、森の中のモニタリング情報が視聴されているときに、現在出力中の映像データの範囲外から珍しい鳥の鳴き声が聞こえると、視聴しているユーザは、映像データの出力対象範囲を当該鳴き声がする方向に移動させて、該当する鳥の映像データを視聴したいと考える。しかしユーザは、該当する鳥がいる方向の映像データを出力させるためには、出力対象範囲をどの方向に移動させればよいかを認識することが困難であるという問題があった。
【０００７】
本発明は、所定位置で撮影された撮像データとともに、当該位置で集音された所望の特定音の音源方向の情報を提供するモニタリング装置、モニタリング方法、およびモニタリング処理用プログラムを提供することを目的とする。
【課題を解決するための手段】
【０００８】
上記目的を達成するための本発明のモニタリング装置は、定位置で撮像した撮像データを取得する撮像データ取得部と、前記位置で集音した音データを取得する音データ取得部と、前記音データの中から、対象物の音を検出する音検出部と、前記対象物の音が検出された頻度を表す出現率を算出する出現率算出部と、前記出現率に基づき、複数の対象物のうち特定の対象物を選択し、選択された特定の対象物の位置を判別する位置判別部と、前記撮像データのうち表示する範囲を設定する表示範囲設定部と、前記設定された表示する範囲に基づき生成された画像データを出力する情報出力部とを備え、前記情報出力部は、前記特定の対象物の位置が前記表示する範囲に含まれない場合には、前記画像データ内に、前記対象物の位置を示す所定の指示画像データを出力することを特徴とする。
【０００９】
また、本発明のモニタリング方法は、モニタリング装置が、所定位置で撮像した撮像データを取得し、前記位置で集音した音データを取得し、前記音データの中から、対象物の音を検出し、前記対象物の音が検出された頻度を表す出現率を算出し、前記出現率に基づき、複数の対象物のうち特定の対象物を選択し、選択された特定の対象物の位置を判別し、前記撮像データのうち表示する範囲を設定し、前記設定された表示する範囲に基づき生成された画像データを出力し、前記特定の対象物の位置が前記表示する範囲に含まれない場合には、前記画像データ内に、前記対象物の位置を示す所定の指示画像データを出力することを特徴とする。
【００１０】
また、本発明のモニタリング処理用プログラムは、モニタリング装置に、所定位置で撮像した撮像データを取得する機能と、前記位置で集音した音データを取得する機能と、前記音データの中から、対象物の音を検出する機能と、前記対象物の音が検出された頻度を表す出現率を算出する機能と、前記出現率に基づき、複数の対象物のうち特定の対象物を選択し、選択された特定の対象物の位置を判別する機能と、前記撮像データのうち表示する範囲を設定する機能と、前記設定された表示する範囲に基づき生成された画像データを出力する機能と、前記特定の対象物の位置が前記表示する範囲に含まれない場合には、前記画像データ内に、前記対象物の位置を示す所定の指示画像データを出力する機能とを実行させることを特徴とする。
【発明の効果】
【００１１】
本発明のモニタリング装置、モニタリング方法、およびモニタリング処理用プログラムによれば、所定位置で撮影された撮像データとともに、当該位置で集音された所望の特定音の音源方向の情報を提供することができる。
【図面の簡単な説明】
【００１２】
【図１】本発明の第１実施形態によるモニタリング装置を利用したモニタリングシステムの構成を示すブロック図である。
【図２】本発明の第１〜第３実施形態によるモニタリング装置に接続されたカメラ装置およびマイク装置の位置とモニタリング対象エリアとを示す説明図である。
【図３】本発明の第１実施形態によるモニタリング装置の動作を示すフローチャートである。
【図４】本発明の第１〜第３実施形態によるモニタリング装置から出力された映像データの一例を示す画面構成図である。
【図５】本発明の第２実施形態によるモニタリング装置を利用したモニタリングシステムの構成を示すブロック図である。
【図６】本発明の第２実施形態によるモニタリング装置の動作を示すフローチャートである。
【図７】本発明の第３実施形態によるモニタリング装置を利用したモニタリングシステムの構成を示すブロック図である。
【図８】本発明の第３実施形態によるモニタリング装置の動作を示すフローチャートである。
【発明を実施するための形態】
【００１３】
以下に、本発明の実施形態として、森の中の所定位置であるモニタリング位置で撮影した映像データと、当該モニタリング位置で収音した音データとを、モニタリング情報として提供するモニタリングシステムについて説明する。
【００１４】
《第１実施形態》
〈第１実施形態によるモニタリングシステムの構成〉
本発明の第１実施形態によるモニタリングシステムの構成について、図１を参照して説明する。本実施形態によるモニタリングシステム１Ａは、カメラ装置２と、マイク装置３と、これらのカメラ装置２およびマイク装置３にネットワーク４を介して接続されたモニタリング装置５Ａと、モニタリング装置５Ａに接続されたユーザ端末６とを備える。カメラ装置２は、森の中のモニタリング位置で３６０°全方向の撮影を行い、映像データを生成する。マイク装置３は、当該モニタリング位置で周囲の音を集音し、音データを生成する。
【００１５】
モニタリング装置５Ａは、制御部５０Ａを有する。制御部５０Ａは例えばＣＰＵで構成され、撮像データ取得部としての映像データ取得部５０１と、音データ取得部５０２と、表示範囲設定部５０３と、音検出部としての鳥鳴き声音検出部５０４と、出現率算出部５０５と、鳥位置特定部５０６と、映像データ内位置判定部５０７と、情報出力部５０８Ａとを有する。
【００１６】
映像データ取得部５０１は、モニタリング位置で撮像した映像データを取得する。音データ取得部５０２は、モニタリング位置で集音した音データを取得する。表示範囲設定部５０３は、ユーザの操作に基づいて、映像データ取得部５０１で取得された映像データのうち、表示する範囲を設定する。鳥鳴き声音検出部５０４は、音データ取得部５０２で取得された音データの中から、対象物の音を検出する。なお、対象物とは予め設定された鳥などである。また、対象物の音とは、予め設定された鳥などが発する音である。出現率算出部５０５は、対象物の音が検出された頻度を表す出現率を算出する。
【００１７】
鳥位置特定部５０６は、現在、鳥鳴き声音検出部５０４で鳥鳴き声音が検出されている鳥の中で、出現率算出部５０５で算出された出現率が最も低い鳥の種類を選択し、選択した種類の鳥の鳴き声音の音源である当該鳥の位置を特定する。映像データ内位置判定部５０７は、鳥位置特定部５０６で特定された鳥の位置に基づいて、映像データ取得部５０１で取得された映像データに対する当該鳥の位置を判定する。すなわち、鳥位置特定部５０６と映像データ内位置判定部５０７とは、出現率に基づき、複数の対象物のうち特定の対象物を選択し、選択された特定の対象物の位置を判別する位置判別部として機能する。
【００１８】
情報出力部５０８Ａは、表示範囲設定部５０３で設定された表示する範囲に基づき生成された画像データと、音データ取得部５０２で取得された音データとをユーザ端末６に出力させる。なお、情報出力部５０８Ａは、画像データ又は音データのいずれか一方のみを出力させる構成であってもよい。その際、特定の対象物の位置が表示する範囲に含まれない場合には、当該画像データ内に、対象物の位置を示す所定の指示画像データを出力し、特定の対象物の位置が表示する範囲に含まれる場合には、対象物の位置を示す指示画像データを出力しない。
【００１９】
〈第１実施形態によるモニタリングシステムの動作〉
次に、本実施形態によるモニタリングシステム１Ａの動作について説明する。本実施形態において、カメラ装置２およびマイク装置３が森の中の所定のモニタリング位置に設置され、カメラ装置２で３６０°全方向が撮影されて映像データが生成されるとともに、マイク装置３で周囲の音が集音されて音データが生成される。つまり、図２に示すように、カメラ装置２、マイク装置３ともに、周囲の３６０°全方向のエリアＭを観測対象の範囲としている。カメラ装置２で生成された映像データおよびマイク装置３で生成された音データは、ネットワーク４を介してモニタリング装置５Ａに送信される。
【００２０】
モニタリングシステム１Ａの稼動中にモニタリング装置５Ａで実行される処理について、図３のフローチャートを参照して説明する。モニタリング装置５Ａにおいて、カメラ装置２から送信された映像データはモニタリング装置５Ａの制御部５０Ａの映像データ取得部５０１で取得され、マイク装置３から送信された音データは音データ取得部５０２で取得される。そして、情報出力部５０８Ａにより、ユーザ端末６からの指示により表示範囲設定部５０３で設定された表示範囲の映像データや、音データがユーザ端末６に出力される（Ｓ１）。
【００２１】
ここでは、表示範囲設定部５０３により、図２に示すように、カメラ装置２からの撮影方向の基準である０°の方向から時計まわりに４５°の方向の間が表示範囲Ｘとして設定されており、この表示範囲Ｘの映像データがユーザ端末６に出力されているものとする。
【００２２】
鳥鳴き声音検出部５０４では、音データ取得部５０２で取得された音データの中から、予め設定された複数種類の鳥鳴き声音が検出される。鳥泣き声音の検出処理は、予め記憶された鳥の種類ごとの鳴き声を示す周波数パターンに合致する音を検出することで行われる。
【００２３】
鳥鳴き声音検出部５０４で鳥鳴き声音が検出されると（Ｓ２の「YES」）、当該検出結果に基づいて、出現率算出部５０５において、鳥の種類ごとの鳥鳴き声音の出現率が算出される（Ｓ３）。ここで、出現率算出部５０５には、過去に算出された種類ごとの鳥鳴き声音の出現率の情報が保持されており、鳥鳴き声音検出部５０４で新たにいずれかの種類の鳥鳴き声音が検出される都度、保持した情報が更新される。そして、検出された鳥鳴き声音の種類と一致する鳥鳴き声音の出現率の情報を呼び出すことで、該当する種類の鳥の最新の出現率が算出される。
【００２４】
次に、鳥位置特定部５０６において、現在、鳥鳴き声音検出部５０４で鳴き声音が検出されている鳥の中で、出現率算出部５０５で算出された出現率が最も低い鳥の種類が選択される（Ｓ４）。そして、選択された種類の鳥の位置が、該当する音データに基づいて特定される（Ｓ５）。ここでは、図２に示すように、出現率が最も低い種類の鳥が、撮影方向の基準である０°から時計まわりに９０°の方向にいることが特定されたものとする。そして、映像データ内位置判定部５０７において、鳥位置特定部５０６で特定された音データ内における鳥の位置に基づいて、映像データ取得部５０１で取得された映像データ内における当該鳥の位置が判定される。
【００２５】
この映像データ内における当該鳥の位置の判定処理について説明する。カメラ装置２とマイク装置３とを同軸上に配置する。つまり、カメラ装置２の中心軸とマイク装置３の中心軸とを一致させることで、カメラ装置２における座標とマイク装置３における座標とを対応させる。また、鳥位置特定部５０６は、複数のマイクから構成されたマイク装置３うち、いずれか二つのマイクを選択する。鳥位置特定部５０６は、鳴き声音が一方のマイクに入射してから、他方のマイクに入射するまでの時間差を算出する。鳥位置特定部５０６は、選択された二つのマイクの位置関係、及びこの時間差に基づき、音データ内における鳥の位置を特定する。映像データ内位置判定部５０７は、特定された音データ内における鳥の位置と、マイク装置３の座標と対応させたカメラ装置２の座標とを用いて、映像データ内における当該鳥の位置を判定する。なお、この位置の判定処理は一例であり、種々の技術を用いて位置の判定処理を行ってもよい。
【００２６】
そして、情報出力部５０８Ａにおいて、映像データ内位置判定部５０７で判定された鳥の位置が、現在の映像データの表示範囲Ｘ外にあるか否かが判定される。図２の例では、出現率が低い鳥が９０°の方向にいることが特定されており、この位置は現在の表示範囲Ｘ（０°〜４５°の範囲）外にあると判定される（Ｓ６の「YES」）。当該鳥の位置が映像データの表示範囲Ｘ外であると判定されると、出現率算出部５０５で算出された値に基づいて、該当する種類の鳥の出現率が予め設定された閾値以下であるか否かが情報出力部５０８Ａで判定される。ここで、該当する種類の鳥の出現率が閾値を超えると判定されたとき（Ｓ７の「NO」）には、情報出力部５０８Ａにより、当該鳥の位置を示す指示画像データ、例えば当該方向を指す矢印の画像データが標準色（例えば黒色）で映像データに重畳されてユーザ端末６に出力される（Ｓ８）。また、該当する種類の鳥が希少であり出現率が閾値以下であると判定されたとき（Ｓ７の「YES」）には、情報出力部５０８Ａにより、当該鳥の位置を指す矢印の画像データが強調色（例えば赤色）で映像データに重畳されてユーザ端末６に出力される（Ｓ９）。
【００２７】
矢印の画像が重畳された映像データがユーザ端末６に表示されたときの画面構成図の一例を、図４に示す。図４では、森の中の所定エリアが撮影された映像データに、当該エリアよりも右に珍しい鳥がいることを示す矢印Ｐの画像が画面右端に表示されている。
【００２８】
ステップＳ６において、映像データ内位置判定部５０７で判定された鳥の位置が、現在の映像データの表示範囲Ｘ内にあると判定されたときには（Ｓ６の「NO」）、映像データ内に矢印は表示されない。
【００２９】
このように、映像データの現在の表示範囲外に珍しい鳥が検出されたときに、表示中の映像データに当該鳥がいる方向を示す矢印の画像を表示させることで、ユーザは当該矢印に従って表示範囲を移動させる操作を行って当該鳥の映像を表示させることができる。
【００３０】
ユーザにより表示範囲を移動させる操作が行われると、当該操作情報が表示範囲設定部５０３で取得され、表示範囲設定部５０３により設定される表示範囲が変更される。表示範囲の設定が変更されると、情報出力部５０８Ａにより、変更された表示範囲の映像データが音データとともにユーザ端末６に出力される。その際、情報出力部５０８Ａは、表示範囲が変更されたことにより、鳥位置特定部５０６で特定された鳥の位置が表示範囲の左端または右端のいずれかに近づくと、音データ内の当該鳥鳴き声音を大きくするとともに、映像データ内の矢印の画像データの大きさを大きくする。
【００３１】
以上の第１実施形態によれば、ユーザ端末で森の中のモニタリング情報が視聴されているときに、現在出力中の映像データの範囲外から珍しい鳥の鳴き声が聞こえた場合に、視聴しているユーザが、映像データの表示対象範囲を当該鳴き声がする方向に容易に移動させて、該当する鳥の映像データを視聴することができる。
【００３２】
《第２実施形態》
〈第２実施形態によるモニタリングシステムの構成〉
本発明の第２実施形態によるモニタリングシステムの構成について、図５を参照して説明する。本実施形態によるモニタリングシステム１Ｂは、モニタリング装置５Ｂ内に鳥鳴き声音記憶部５１１Ｂが設けられた記憶部５１Ｂを有する他は、第１実施形態で説明したモニタリングシステム１Ａの構成と同様であるため、同一機能を有する部分の詳細な説明は省略する。
【００３３】
鳥鳴き声音記憶部５１１Ｂは、予め取得された、対象物の音データを記憶する。制御部５０Ｂの情報出力部５０８Ｂは、映像データ内位置判定部５０７で判定された特定の対象物の位置が表示する範囲に含まれる場合に、鳥鳴き声音記憶部５１１Ｂに記憶された該当する対象物音データを出力する。
【００３４】
〈第２実施形態によるモニタリングシステムの動作〉
次に、本実施形態によるモニタリングシステム１Ｂの動作について、図６のフローチャートを参照して説明する。図６において、ステップＳ１〜Ｓ９の処理は、第１実施形態で説明した処理と同様であるため、詳細な説明は省略する。
【００３５】
本実施形態では、ステップＳ６において、映像データ内位置判定部５０７で判定された鳥の位置が現在の映像データの表示範囲内にあるときには（Ｓ６の「NO」）、情報出力部５０８Ｂにより、音データ取得部５０２で取得された音データが、鳥鳴き声音記憶部５１１Ｂに記憶された該当する種類の鳥鳴き声音に切り替えられる。
【００３６】
以上の第２実施形態によれば、珍しい鳥の映像が表示されているときにユーザは、当該種類の鳥の鮮明な鳴き声音を視聴することができる。
【００３７】
《第３実施形態》
〈第３実施形態によるモニタリングシステムの構成〉
本発明の第３実施形態によるモニタリングシステムの構成について、図７を参照して説明する。本実施形態によるモニタリングシステム１Ｃは、モニタリング装置５Ｃ内の制御部５０Ｃにユーザ評価取得部５０９を有し、記憶部５１Ｃにユーザ評価情報記憶部５１２を有する他は、第２実施形態で説明したモニタリングシステム１Ｂの構成と同様であるため、同一機能を有する部分の詳細な説明は省略する。
【００３８】
鳥鳴き声音記憶部５１１Ｃは、音データ取得部５０２から取得された対象物の音データを記憶する。ユーザ評価取得部５０９は、ユーザ端末６から送信された、対象物音データに対するユーザの評価を示す評価値を取得する。ユーザ評価情報記憶部５１２は、対象物音データに、ユーザ評価取得部５０９で取得されたユーザの評価情報を関連づけて記憶する。
【００３９】
情報出力部５０８Ｃは、映像データ内位置判定部５０７で判定された特定の対象物の位置が表示する範囲に含まれる場合に、ユーザ評価情報記憶部５１２に記憶された、評価値が最も高い対象物音データを出力する。
【００４０】
〈第３実施形態によるモニタリングシステムの動作〉
次に、本実施形態によるモニタリングシステム１Ｃの動作について、図８のフローチャートを参照して説明する。図８において、ステップＳ１〜Ｓ９の処理は、第１実施形態で説明した処理と同様であるため、詳細な説明は省略する。
【００４１】
本実施形態では、図８で示すモニタリング装置の動作を実施する前に、予め、特定の鳥の複数の鳥鳴き声音に対して、ユーザが評価を行い、その評価を示す評価値がユーザ評価情報記憶部５１２に記憶される。具体的には、ユーザが特定の鳥を選択する操作を行うと、鳥鳴き声音記憶部５１１Ｃに記憶されたその特定の鳥の複数の鳥鳴き声音が、情報出力部５０８Ｃからユーザ端末６に出力される。そして、ユーザが、出力された鳥鳴き声音を聴いてその評価情報をユーザ端末６から入力すると、当該評価情報がモニタリング装置５Ｃに送信される。
【００４２】
モニタリング装置５Ｃのユーザ評価取得部５０９では、複数のユーザ端末６から送信されたユーザの評価情報が取得され、ユーザ評価情報記憶部５１２に記憶された該当する鳥鳴き声音に対応付けて記憶される。このようにして、ユーザ評価取得部５０９には、複数ユーザからの評価情報が蓄積される。
【００４３】
次に図８を用いて、本実施形態のモニタリング装置の動作を示す。上述したようにユーザ評価取得部５０９にユーザ評価情報が記憶されている状態で、ステップＳ６において、映像データ内位置判定部５０７で判定された鳥の位置が現在の映像データの表示範囲内にあると判定されると（Ｓ６の「NO」）、情報出力部５０８Ｃにより、ユーザ評価情報記憶部５１２に記憶されたユーザの評価情報が取得される（Ｓ１１）。次に、取得されたユーザの評価情報に基づいて、情報出力部５０８Ｃにより、鳥鳴き声音記憶部５１１Ｃに記憶された該当する種類の鳥鳴き声音の中で、最もユーザの評価が高い鳥鳴き声音が選択される。そして、情報出力部５０８Ｃにより、音データ取得部５０２で取得された音データが、選択した鳥鳴き声音に切り替えられる（Ｓ１２）。
【００４４】
以上の第３実施形態によれば、珍しい鳥の映像が表示されているときに、当該種類の鳥に関し、ユーザからの評価が高い鳥鳴き声音を視聴することができる。
【符号の説明】
【００４５】
１Ａ，１Ｂ，１Ｃ  モニタリングシステム
２  カメラ装置
３  マイク装置
４  ネットワーク
５Ａ，５Ｂ，５Ｃ  モニタリング装置
６  ユーザ端末
５０Ａ，５０Ｂ，５０Ｃ  制御部
５１Ｂ，５１Ｂ，５１Ｃ  記憶部
５０１  映像データ取得部
５０２  音データ取得部
５０３  表示範囲設定部
５０４  鳥鳴き声音検出部
５０５  出現率算出部
５０６  鳥位置特定部
５０７  映像データ内位置判定部
５０８Ａ，５０８Ｂ，５０８Ｃ  情報出力部
５０９  ユーザ評価取得部
５１１Ｂ，５１１Ｃ  鳥鳴き声音記憶部
５１２  ユーザ評価情報記憶部
【図１】
2019161353.tif 000003
【図２】
2019161353.tif 000004
【図３】
2019161353.tif 000005
【図４】
2019161353.tif 000006
【図５】
2019161353.tif 000007
【図６】
2019161353.tif 000008
【図７】
2019161353.tif 000009
【図８】
2019161353.tif 000010